(57)【要約】　　　（修正有）【課題】装飾体が取り付けられている取付部から部分的に装飾体を取り外しでき、装飾体を取替え可能にした観賞用置物を提供する。【解決手段】複数の支持材をすり鉢状に横架した環状の外枠の内側にマグネットの受板となる円盤を外枠内に設け、磁着したマグネットが円盤からずれないようにした取付部材３を有する木型取付部２と、前記木型取付部２を取り付けるための植木鉢型設置台と、木型取付部２の前記取付部材３に磁着する多数の人型装飾体５、葉型装飾体等とからなる構成とした。【選択図】　図１
2004130756.tif 000002
【特許請求の範囲】
【請求項１】
複数の支持材をすり鉢状に横架した環状の外枠の内側にマグネットの受板となる円盤を外枠内に設け、磁着したマグネットが円盤からずれないようにした取付部材を有する木型取付部と、前記木型取付部を取り付けるための植木鉢型設置台と、木型取付部の前記取付部材に磁着する多数の人型装飾体、葉型装飾体等とからなることを特徴とする観賞用置物。
【請求項２】
木型取付部を多数の取付部材を取り付けた山型取付部としたことを特徴とする請求項１に記載の観賞用置物。
【請求項３】
人型装飾体、葉型装飾体等をコーヒー豆型装飾体とするとともに、固定部材の表面及び保持台の表面に多数のコーヒー豆の模造物が取り付けたことを特徴とする請求項１に記載の観賞用置物。
【請求項４】
複数の支持材をすり鉢状に横架した環状の外枠の内側にマグネットの受板となる円盤を外枠内に設け、磁着したマグネットが円盤からずれないようにした取付部材を有する葉型取付部と、前記葉型取付部を取り付けるためのパイナップル型設置台と、前記葉型取付部の取付部材に磁着する多数のパイナップル型装飾体等とからなることを特徴とする観賞用置物。
【請求項５】
複数の支持材をすり鉢状に横架した環状の外枠の内側にマグネットの受板となる円盤を外枠内に設け、磁着したマグネットが円盤からずれないようにした取付部材を有する椰子の木型の木型取付部と、前記木型取付部を取り付けるための植木鉢型設置台と、木型取付部の前記取付部材に磁着する多数のバナナ型装飾体とからなることを特徴とする観賞用置物。
【発明の詳細な説明】
【０００１】
【発明が属する技術分野】
本発明は、部屋、店舗、事務所等内に置いて娯楽用又は観賞用として使用する観賞用置物の改良に関する発明である。
【０００２】
【従来の技術】
従来、部屋、店舗、事務所等に置いて娯楽用、遊び用、観賞用等に使用している置物は、分離したり、取り外したり又は組み立てたりすることができず、全てが一体化している構造の観賞用置物であった。
【０００３】
【発明が解決しようとする課題】
しかしながら、従来の置物は、置物を構成する装飾体自体も一体化されていて取り外しができないため、気分に応じた置物の交換には、置物自体を交換しなくてはならず、数種の置物を購入しなければならず、高額の費用が必要であるとの問題がある。
【０００４】
そこで、本発明は、取付部と装飾体を取り外しできる構造とすることで部分毎の取り替えのみを可能にした観賞用としても趣味娯楽用としても使用できる観賞用置物を提供することを目的としている。
【０００５】
【課題を解決するための手段】
そこで、本発明である観賞用置物は、上記の課題を解決するために、複数の支持材をすり鉢状に横架した環状の外枠の内側にマグネットの受板となる円盤を外枠内に設け、磁着したマグネットが円盤からずれないようにした取付部材を有する木型取付部と、前記木型取付部を取り付けるための植木鉢型設置台と、木型取付部の前記取付部材に磁着する多数の人型装飾体、葉型装飾体等とからなることを特徴とする観賞用置物の構成とした。
【０００６】
【実施例】
以下に、添付図面に基づき、本発明である観賞用置物について詳細に説明する。図１から図１７までは、本発明である観賞用置物の第１実施例を示した図である。
【０００７】
図１は、本発明である観賞用置物の全体図である。図１に示すように、本発明である観賞用置物１は、取付部材３を有する木型取付部２と、木型取付部２を起立させる植木鉢型土台部４と、木型取付部２の取付部材３に磁着する人型装飾体５、葉型装飾体６等とからなる。
【０００８】
本発明であるである観賞用置物１は、植木鉢型土台部４上に多数の取付部材３を設けた木型取付部２を固定し、任意の取付部材３に人型装飾体５又は葉型装飾体６を取り付けたものである。
【０００９】
図２は、本発明である観賞用置物の取付部の全体図である。前述したように、植木鉢型土台部４上に多数の取付部材３を設けた木型取付部２を固定したものである。
【００１０】
図２に示すように、本発明である観賞用置物１を構成する人型装飾体５、葉型装飾体６等を磁着で取り付ける取付部材３は、枝の先や途中など木型取付部２の多数の箇所に設けられている。
【００１１】
植木鉢型土台部４の植木鉢型設置台４ａは、土型固定部材４ｃを内に設けた植木鉢型設置台４ａと、草型装飾体４ｅ、４ｆ、４ｇ、４ｈを設けた保持台４ｂからなる。そして、土型固定部材４ｃの中心部には、前記木型取付部２を挿入して固定するための挿入孔４ｄが設けられている。
【００１２】
図３は本発明である観賞用置物の取付部材の正面図、図４は取付部材の断面図である。
【００１３】
図３、図４に示すように、本発明である観賞用置物１の取付部材３は、環状の外枠３ａと、前記外枠３ａの内方に略擂り鉢状に固定されている左支持材３ｂ、右支持材３ｃ、上支持材３ｅ及び下支持材３ｆと、前記上下左右支持部材３ｂ、３ｃ、３ｅ、３ｆに固定されている円盤３ｄとからなる。円盤３ｄは、マグネットが磁着する素材、例えば鉄等である。
【００１４】
上下左右支持材３ｂ、３ｃ、３ｅ、３ｆは、外枠３ａの内側に十文字かつ、図４に示すように、中心に向かう毎に外枠３ａよりも背面方向に擂り鉢状になるように横架されており、前記上下左右支持材３ｂ、３ｃ、３ｅ、３ｆに、外枠３ａの径よりも小径の円盤３ｄが固定されている。
【００１５】
図５は、本発明である観賞用置物の人型装飾体の正面図である。人型装飾体５は、人５ａが動物５ｉを連れてオートバイ５ｂに跨っている状態を表した装飾体である。人５ａは、サングラス５ｃの付いているヘルメット５ｅを被っている。
【００１６】
髪５ｇは、風が吹くとたなびく程に長く生やしていて、髭５ｄは鼻の下に左右方向に延ばしている。表情は、目は大きくうつろな目をしていて、口５ｆが左右方向に大きく開いて笑っている。また、オーバーオール５ｈを着ており、片手で運転している。
【００１７】
図６から図１４は、本発明である観賞用置物の葉型装飾体の正面図である。図６に示すように、葉型装飾体６は、木の葉の形をし中央に顔があるキャラクターを表した装飾体である。
【００１８】
図６から図１４に示した葉型装飾体６、７、８、９、１０、１１、１２、１３、１４は、前述した葉型装飾体６と同様の構造の装飾体であり、顔の表情や葉の状態を変えた装飾体である。
【００１９】
図６に示した葉型装飾体６は、５方向に放射状にシダの葉に似た葉６ａが突出した略星形の装飾体で、中心部には顔６ｂが配置してある。葉６ａの形状は、先端部にかけて幅が狭く尖っていて、顔６ｂ寄りの部分が幅が大きい。
【００２０】
人間の顔を模した面長の顔６ｂの表情は、左右の目６ｃが大きく見開いており、くの字状の口６ｅは、顔６ｂの半分くらいまで開き、口６ｅ内には上と下に極めて大きな歯６ｄが複数本配置されていて露見している。
【００２１】
面長で滑稽な表情をしているとともに驚いた表情の顔６ｂの下には、茎６ｆがくの字状に伸びている。顔６ｂには鼻及び耳が存在しない。５つの各葉６ａ、６ａ、６ａ、６ａは、左右対称の位置に配置されている。
【００２２】
図７に示した葉型装飾体７も、前記葉型装飾体６と同様に、シダの葉状の５つの各葉７ａ、７ａ、７ａ、７ａ、７ａが５方向に放射状に突出した略星形の装飾体である。
【００２３】
葉型装飾体７の中心部に、顔７ｂが配置されていて、表情は目７ｃが飛び出してしまうのではないかとの錯覚を与えるように大きく見開いており、口７ｅが顔７ｂの面積の三分の二程に大きく開いて、極めて大きい上の歯７ｄが横方向に密着して並んでいて、舌が口７ｅ内にあるとともに下の歯がＵ字型に並んでいる。
【００２４】
面長で滑稽な表情をしている顔７ｂの真上に伸びる葉７ａには、先端部が矢印状に形成されているとともに屈曲し、後端部も屈曲して二股状に形成されているリボン７ｇが取り付けられている。そして、反対に顔７ｂの下には、茎７ｆが伸びている。各葉型装飾体７の葉７ａ、７ａ、７ａ、７ａ、７ａは、左右対称の位置に配置されている。
【００２５】
図８に示すように、シダの葉状の葉型装飾体８は、２つの装飾体８ａ、８ｂが茎８ｍにより接続されて一体となっているものである。装飾体８ａ及び装飾体８ｂは、ほぼ同形同大であり、前記葉型装飾体６、７と同様に、顔８ｄ、８ｉを中心として、５方向に放射状に葉８ｃ、８ｈが突出しており略星形をしている。各装飾体８ａ、８ｂの葉８ｃ、８ｈは、先端部が細く、顔８ｄ、８ｉ寄りが幅が大きい。
【００２６】
葉型装飾体８の装飾体８ａの顔８ｄの表情は、目８ｅが他の装飾体８ｂの方向、即ち、左を向いている。口８ｇは略くの字状に左右に大きく開き、口８ｇ内に上下に歯８ｆがあり露見している。また、装飾体８ｂの表情は、目８ｊは他の装飾体８ａの方向を向いており、口８ｌは、くの字状に左右に大きく開き、上下の歯８ｋが露見している。目８ｅ、８ｊは、共にうつろな状態である。
【００２７】
図９に示すように、葉型装飾体９は、５方向に葉９ａが突出した略星形の装飾体で、中心には、顔９ｂがあり、顔９ｂの下には、茎９ｆが伸びている。表情は、目９ｃが半開きで、口９ｅは、欠伸のように大きく開いて、歯９ｄが見えている。また、葉型装飾体９は、帽子９ｇを被り、マフラー９ｈをかけている。
【００２８】
図１０に示すように、葉型装飾体１０は、５方向に葉１０ａが突出した略星形の装飾体で、中心には、顔１０ｂがあり、顔１０ｂの下には、コンセント１０ｆが伸びている。表情は、目１０ｃの片方が大きく見開き、口１０ｅからは、舌１０ｇが飛び出し、歯１０ｄは上あごの分だけ見えている。
【００２９】
図１１に示すように、葉型装飾体１１は、５方向に葉１１ａが突出した略星形の装飾体で、中心部には顔１１ｂがあり、顔１１ｂの下には茎１１ｆが伸びている。顔１１ｂの表情は、目１１ｃが半目の状態であり、口１１ｅはほとんど閉じていて少しだけ歯１１ｄが見えている。顔１１ｂは、不満があり怒った顔であるる。
【００３０】
図１２に示すように、シダの葉のような葉型装飾体１２は、５方向に放射状に葉１２ａが突出した略星形の装飾体である。そして、葉型装飾体１２の中心部には、顔１２ｂがあり、顔１２ｂの下には茎１２ｆが伸びている。
【００３１】
表情は、目１２ｃが左方向を向いており、うつろな目をしている。口１２ｅは、顔の半分ほどまでにくの字状に開いているが、口１２ｅ内には歯１２ｄが浮いているように２本ほど見える。
【００３２】
図１３に示すように、シダの葉のような葉型装飾体１３は、７方向に葉１３ａが放射状に突出した略星形の装飾体である。中心部には、顔１３ｂがあり顔１３ｂの下には茎１３ｆが伸びている。
【００３３】
顔１３ｂの表情は、眉のある目１３ｃは細く、その両目１３ｃは怒った目であり、目１３ｃの下方に眼鏡１３ｇをかけている。口１３ｄは、Ｕ字型に笑っていて、口１３ｄ内には、多数の歯１３ｅがあり露見している。また、目１３ｃの部分の大きさに対し、口１３ｅのある頬部や上下の顎部が極めて大きい。
【００３４】
図１４に示すように、シダの葉のような葉型装飾体１４は、５方向に葉１４ａが放射状に突出した略星形の装飾体である。中心部には、顔１４ｂがあり顔１４ｂの下には茎１４ｆが伸びている。表情は、目１４ｃが片方閉じており、口１４ｄは煙草１４ｅをくわえている。即ち、ウインクをした顔１４ｂであり、楽しい顔をしている。
【００３５】
本発明である観賞用置物では、上記の葉型装飾体６〜１４の各葉６ａ〜１４ａは、５つであるがその数は６つ葉以上に増加してもよく、また４つ以下に減らしてもよい。
【００３６】
図１５は、本発明である観賞用置物の葉型装飾体の背面図である。図１５に示すように、葉型装飾体１０の背面は表面が平坦に形成されているとともに略星形状に形成されている背面板１０ｈが取り付けられていて、背面板１０ｈの中心部に円形状のマグネット１０ｉが取り付けられている。
【００３７】
人型装飾体５と、葉型装飾体６〜１０には全て前述のような背面板１０ｈ及びマグネット１０ｉが取り付けられているており、本発明で使用する全ての装飾体の基本的な構造である。
【００３８】
図１６は、本発明である観賞用置物の葉型装飾体を取付部材に取り付けた状態を示す左側面図である。図１６に示すように、背面板１０ｈに設置されているマグネット１０ｉは、取付部材３の円盤３ｄに磁着させた状態では外枠３ａの内側に収まり上下にずれて外れることがない。
【００３９】
図１７は、本発明である観賞用置物の取付部を分離した状態を示す正面図である。図１７に示すように、木型取付部２と植木鉢型設置台４ａは、分離可能となっている。植木鉢型土台部４の植木鉢型設置台４ａには、他の取付部を使用することも可能であるし、また、分離した木型取付部２を他の設置台に使用することも可能である。
【００４０】
木型取付部２の幹と後に説明する木型土台部１５、３４の幹の太さは等しく、また、植木鉢型設置台４ａの挿入孔４ｄと、後に説明する植木鉢型設置台１６、３５の挿入孔１６ｄ、３５ｃの大きさも等しいため、木型取付部２、１５、３４と植木鉢型設置台４、１６、３５の組合せは自由である。
【００４１】
図１８は、本発明である観賞用置物の第２実施例を示した正面図である。図１８に示すように、本例の観賞用置物１ａで使用している装飾体は全て、前記の観賞用置物１で使用していた装飾体５、６、７、８、９、１０、１１、１２、１３、１４である。
【００４２】
本例の観賞用置物１ａは、多数の取付部材３が取り付けられている山型取付部２ａを製造し、人型装飾体５や、葉型装飾体６〜１４を転用して別の観賞用置物１ａを作ったものである。本例の観賞用置物１ａは、部分毎の交換により別の置物を作ることができるため、少ないコストで数種の置物を楽しめることができる。
【００４３】
図１９から図３０までは、本発明である観賞用置物の第３実施例を示した図である。図１９は本発明である観賞用置物の第３実施例を示した正面図、図２０は、本発明である観賞用置物の第３実施例であり、装飾体を取り外した状態の全体図である。
【００４４】
図１９及び図２０に示すように、本例の観賞用置物１ｂは、多数の取付部材３が取り付けられている木型取付部１５と、植木鉢型設置台１６と、コーヒー豆型装飾体１７〜３６とからなる。ここで、取付部材３は、図３及び図４に示した構造と全く同じ構造である。
【００４５】
本例の観賞用置物１ｂの植木鉢型設置台１６は、木型取付部１５を差し込み固定するための固定部１６ｃと、前記固定部１６ｃを収納する鉢１６ａと、前記鉢１６ａを載せて保持するための保持台１６ｂとからなる。
【００４６】
そして、固定部１６ｃの中心には、木型取付部１５を挿入し固定するための挿入孔１６ｄが穿設されている。固定部材１６ｃの表面及び保持台１６ｂの表面には多数のコーヒー豆の模造物が取り付けられている。
【００４７】
木型取付部１５は、前記挿入孔１６ｄに差し込まれて固定されている。もちろん、木型取付部１５は、取り外しが可能であり、前記植木鉢型設置台４と共に使用することも可能である。
【００４８】
また、木型取付部１５は幹や枝の箇所に多数の取付部材３が取り付けられていて、木型取付部１５の幹から出ている各枝の多数の箇所にコーヒー豆の実をデザインし変形した各種のコーヒー豆型装飾体１７〜３６が磁着されている。
【００４９】
図２１から図３０は、本発明である観賞用置物のコーヒー豆型装飾体の正面図である。コーヒー豆型装飾体１７から２６は、それぞれコーヒー豆の形をした顔を表現している。
【００５０】
図２１に示したコーヒー豆型装飾体１７は、コーヒー豆の形状をした顔１７ａであり、花飾り１７ｅを付けている。表情は目１７ｂが大きく、口１７ｃも大きく開き、上の歯１７ｄが見えている。
【００５１】
図２２に示したコーヒー豆型装飾体１８は、コーヒー豆の形状をした顔１８ａであり、頭上にコーヒー豆を積んだ籠１８ｅを載せている。表情は、目１８ｂが丸く、口１８ｃが閉じており、耳飾り１８ｄをしている。
【００５２】
図２３に示したコーヒー豆型装飾体１９は、コーヒー豆の形状をした顔１９ａであり、髪１９ｇが長く、帽子１９ｆを被っている。表情は目１９ｂが丸く、口１９ｃが歯１９ｄを食いしばったようになっており、口１９ｃの上側に髭１９ｅが生えている。
【００５３】
図２４に示したコーヒー豆型装飾体２０は、コーヒー豆の形状をした顔２０ａであり、頭に星マークのついた帽子２０ｄを被っている。表情は、目２０ｂが縦長の円形をしており、口２０ｃは大きい。また、眼鏡２０ｅをかけている。
【００５４】
図２５に示したコーヒー豆型装飾体２１は、コーヒー豆の形状をした顔２１ａであり、頭に羽根飾り２１ｄを載せている。表情は、目２１ｂが大きく、口２１ｃも開いて、笑っている。
【００５５】
図２６に示したコーヒー豆型装飾体２２は、コーヒー豆の形状をした顔２２ａであり、頭に王冠２２ｄを被っている。表情は、目２２ｂが半目の状態で、口２２ｃが緩み、全体的に眠そうな顔をしている。
【００５６】
図２７に示したコーヒー豆型装飾体２３は、コーヒー豆の形状をした顔２３ａであり、頭に馬２３ｅを載せた帽子２３ｄを被っている。表情は、目２３ｂが丸く、口２３ｃは唇の両端が上がり笑っている。
【００５７】
図２８に示したコーヒー豆型装飾体２４は、コーヒー豆の形状をした顔２４ａであり、頭に髪飾り２４ｅをしており、帽子２４ｄを被っている。表情は目２４ｂが丸く、口２４ｃが顔の半分ほどの高さまで縦長に伸びている。
【００５８】
図２９に示したコーヒー豆型装飾体２５は、コーヒー豆の形状をした顔２５ａであり、頭に星マークの付いた縦長の帽子２５ｄを被っている。表情は、目２５ｂが縦長の円形で、口２５ｃは縦に長く伸びて笑っている。
【００５９】
図３０に示すように、コーヒー豆型装飾体２６は、コーヒー豆の形状をした顔２６ａであり、髪２６ｅが多い。表情は、目２６ｂが丸く、口２６ｃは上唇の両端が極端に上がっており、上下の歯２６ｄが見えている。
【００６０】
図３１から図３８までは、本発明である観賞用置物の第４実施例を示した図である。図３１は本発明である観賞用置物の第４実施例を示した正面図、図３２は本発明である観賞用置物の第４実施例の取付部の全体図である。
【００６１】
図３１及び図３２に示すように、本例の観賞用置物１ｃは、多数の取付部材３を取り付けた葉型取付部２７ｃと、前記葉型取付部２７ｃを取り付けるパイナップル型土台部２７と、前記葉型取付部２７ｃに取り付けるパイナップル型装飾体２８〜３３とからなる。取付部材３は、図３及び図４に示した構造と全く同じ構造である。
【００６２】
図３２に示すように、パイナップル型土台部２７は、保持台２７ｂ上にパイナップル型設置台２７ａを設置し、前記パイナップル型設置台２７ａに取付部材３、３、３・・・・を有する複数本の葉がある葉型取付部２７ｃを設置してある。前記パイナップル型設置台２７ａの下部には、２つの花飾り２７ｄがあり、前記葉型取付部２７ｃの多数の箇所に前記取付部材３、３、３・・・・が取り付けられている。
【００６３】
図３３から図３８は、本発明である観賞用置物のパイナップル型装飾体の正面図である。パイナップル型装飾体２８〜３３は、それぞれパイナップルの形をした人形を表しており、色々なポーズを表現している装飾体である。
【００６４】
図３３に示したパイナップル型装飾体２８は、パイナップルの形をした顔２８ａに、左右の手２８ｂと左右の足２８ｃが生えた人形である。頭には花飾り２８ｄをつけ、スカート２８ｅを履いている。表情は、笑っている。両目は、接近していて極めて縦楕円形の目をしていて、頭の頂部には複数本の葉が生えている。両手２８ｂ、２８ｂは、極めて大きく屈曲している。顔の両頬には皺がある。
【００６５】
図３４に示したパイナップル型装飾体２９は、パイナップルの形をした顔２９ａに、手２９ｂと足２９ｃが生えた人形である。表情は、口が大きく開いて笑っており、極めて小さい両目の下に可成り大きいサングラス２９ｄをかけている。左右両手２９ｂ、２９ｂは指が４本である。左右の両足２９ｃ、２９ｃは、共に屈曲している。そして、頭の頂部には複数本の葉が生えている。顔の両頬及び額には皺がある。
【００６６】
図３５に示したパイナップル型装飾体３０は、パイナップルの形をした顔３０ａに、左右の手３０ｂと左右の足３０ｃが生えた人形である。このパイナップル型装飾体３０は、左右の足３０ｃを折って座った状態である。片手３０ｂを地について、表情は、眠そうな顔をしている。しかし、顔の両頬及び額には皺がある。頭の頂部には、複数本の葉が生えている。
【００６７】
図３６に示したパイナップル型装飾体３１は、パイナップルの形をした顔３１ａに手３１ｂと足３１ｃが生えた人形である。花模様がある半ズボン３１ｄを履き、片手３１ｂはピースのサインをしている。目は半目で、眠そうな顔３１ａである。顔の片方の頬及びこめかみ付近には皺がある。頭の頂部には、複数本の葉が生えている。
【００６８】
図３７に示すように、パイナップル型装飾体３２は、パイナップルの形をした顔３２ａに手３２ｂと足３２ｃが生えた人形である。両手３２ｂを上に挙げて広げている。口は、舌が見えるように大きくしかも長方形状に開けていて、顔全体が怒った形相である。顔の両頬及び額には皺がある。頭の頂部には、複数本の葉が生えている。左右の手３２ｂの甲及び左右の足３２ｃの甲は、極めて大きい。
【００６９】
図３８に示したパイナップル型装飾体３３は、パイナップルの形をした顔３３ａに手３３ｂと足３３ｃが生えた人形である。両手３３ｂは、左右に広げ円盤状のサーフボード３３ｄに乗っている。口は、舌が見えるように大きくしかも長方形状に開けていて、顔全体が喜んでいる形相である。顔の片方の頬には皺があり、頭の頂部には複数の葉が生えている。
【００７０】
図３９から図５０までは、本発明である観賞用置物の第５実施例を示した図である。図３９は本発明である観賞用置物の第５実施例を示した正面図、図４０は本発明である観賞用置物の第５実施例であり、装飾体を取り外した状態の全体図である。
【００７１】
図３９及び図４０に示すように、本例の観賞用置物１ｄは、取付部材３、木型取付部３４、植木鉢型設置台３５ａ及び保持台３５ｂからなる植木鉢型土台部３５、バナナ型装飾体３６〜４５とからなる。前記取付部材３は、図３及び図４に示した構造と全く同じ構造である。
【００７２】
図４０に示すように、保持台３５ｂ上に固定された植木鉢型設置台３５ａの上面の中心部には、挿入孔３５ｃが穿設されており、多数の取付部材３を設けた木型取付部３４が嵌入されている。もちろん、木型取付部３４は、植木鉢型設置台３５ａから取り外しが可能であり、前記植木鉢型設置台３５ａに代えて植木鉢型設置台４又は植木鉢型設置台１６を使用することも可能である。本例の木型取付部３４では、椰子の木に似せたものである。
【００７３】
図４１から図５０は、本発明である観賞用置物のバナナ型装飾体の正面図である。バナナ型装飾体３６〜４５は、それぞれバナナの形をした人形を表しており、色々なポーズを表現している。
【００７４】
図４１に示したバナナ型装飾体３６は、バナナの形をした顔３６ａに手３６ｂが生えた人形である。両手３６ｂを大きく広げ、バナナの下方の先端ではバナナの皮３６ｅがぶら下がっている。表情は、目３６ｃが半目で眠そうであるが、口３６ｄは縦に長く開けて笑っている装飾体である。
【００７５】
図４２に示したバナナ型装飾体３７は、バナナの形をした顔３７ａに手３７ｂが生えた人形である。片手３７ｂを上げ、頭からバナナの皮３７ｅを被っている。表情は、口３７ｃは、笑っており、サングラス３７ｄをかけている。
【００７６】
図４３に示すように、バナナ型装飾体３８は、バナナの形をした顔３８ａの人形である。鼻３８ｄは大きく、サングラス３８ｃをかけ、口３８ｂは、縦長に広がっており、唇の両端が上がっている。
【００７７】
図４４に示したバナナ型装飾体３９は、バナナの形をした顔３９ａの人形である。目３９ｂも、口３９ｃも閉じて、寝ている状態である。
【００７８】
図４５に示したバナナ型装飾体４０は、バナナの形をした顔４０ａに手４０ｂと足４０ｄが生えた人形である。右手４０ｂを前方に伸ばし、足４０ｄは、右足を後方に伸ばし、左足を曲げている。表情は、目４０ｃは縦長の楕円形で、眼鏡４０ｅをかけている。また、マント４０ｆを羽織っている。
【００７９】
図４６に示したバナナ型装飾体４１は、バナナの形をした顔４１ａに手４１ｂが生えた人形である。水着４１ｅを着ており、右手を腰に、左手を頭にあてている。表情は、目４１ｃも口４１ｄも閉じている。
【００８０】
図４７に示したバナナ型装飾体４２は、バナナ４２ａにジッパー４２ｂがついた袋型の装飾体である。ジッパー４２ｂには、ジッパーを開閉するための摘みが取り付けられている。
【００８１】
図４８に示したバナナ型装飾体４３は、バナナの形をした顔４３ａに手４３ｂが生えた人形である。顔４３ａより下は、皮４３ｄに覆われており、向いた皮の先が襟にようになっている。目４３ｃは半目で、手４３ｂは、腰にあてている。
【００８２】
図４９に示したバナナ型装飾体４４は、バナナの形をした顔４４ａに手４４ｂが生えていて寝ころんでいる人形の装飾体である。顔４４ｂより下は、皮４４ｄを布団のようにかけており、寝そべっている状態となっている。目４４ｃは、両目をともに半分閉じた状態である。
【００８３】
図５０に示したバナナ型装飾体４５は、バナナの形をした顔４５ａに手４５ｂが生えた人形である。両手４５ｂを広げて万歳をしていて、頭にはヘルメット４５ｅを被っている。目４５ｃは上目使いで、口４５ｄは笑っている装飾体である。
【００８４】
図５１から図６１までは、本発明である観賞用置物の第６実施例を示した図である。図５１は本発明である観賞用置物の第６実施例を示した正面図、図５２は本発明である観賞用置物の第６実施例であり、装飾体を取り外した状態の全体図である。
【００８５】
図５１及び図５２に示すように、本例の観賞用置物１ｅのコーヒーカップ型土台部４６は、コーヒーカップ型設置台４６ａと、保持台４６ｂと、先端が尖っているとともに先端部が左方向又は右方向に彎曲する湯気型取付部４６ｃと、湯気型取付部４６ｃに取り付ける取付部材３と、前記湯気型取付部４６ｃに取り付けるコーヒーカップ型装飾体４７〜５５とからなる。前記取付部材３は、図３及び図４に示した構造と全く同じ構造である。
【００８６】
図５３から図６１は、本例の観賞用置物１ｅに取り付けられるコーヒーカップ型装飾体４７〜５５の正面図を示した図である。コーヒーカップ型装飾体４７〜５５は、それぞれコーヒーカップ形状の受けカップの中に人や動物が入っている状態を表現した装飾体である。
【００８７】
図５３に示したコーヒーカップ型装飾体４７は、ＰＥＲＵの文字の入ったコーヒーカップ形状の受けカップ４７ａの中にカンガルー４７ｂが入っている状態を表した装飾体である。カンガルー４７ｂの目は両目とも飛び出ていてひょうきんな形相をしている。
【００８８】
図５４に示したコーヒーカップ型装飾体４８は、ＰＡＰＡの文字の入ったコーヒーカップ形状の受けカップ４８ａの中に異星人４８ｂが入っている状態を表した装飾体である。
【００８９】
図５５に示したコーヒーカップ型装飾体４９は、ＴＡＨＩＴＩの文字の入ったコーヒーカップ形状の受けカップ４９ａの中に女性４９ｂが横を向いて入っている状態を示した装飾体である。
【００９０】
図５６に示したコーヒーカップ型装飾体５０は、ＣＯＬＵＭＢＩＡの文字の入ったコーヒーカップ形状の受けカップ５０ａの中に人間５０ｂと馬５０ｃが入っている状態を表した装飾体である。
【００９１】
図５７に示したコーヒーカップ型装飾体５１は、ＨＡＷＡＩＩＡＮの文字が入ったコーヒーカップ形状の受けカップ５１ａの中に人間５１ｂが入っている状態を表した装飾体である。
【００９２】
図５８に示したコーヒーカップ型装飾体５２は、ＭＥＸＩＣＡの文字の入ったコーヒーカップ形状の受けカップ５２ａの中に帽子を被った人間５２ｂが入っている状態を表した装飾体である。
【００９３】
図５９に示したコーヒーカップ型装飾体５３は、ＥＸＰＲＥＳＳＯの文字が入ったコーヒーカップ形状の受けカップ５３ａの中から小さいカップを持った腕５３ｂが飛び出している状態を表した装飾体である。
【００９４】
図６０に示したコーヒーカップ型装飾体５４は、ＪＡＭＡＣＩＡＮの文字の入ったコーヒーカップ形状の受けカップ５４ａの中に腰に両手をあてた人間５４ｂが入っている状態を表した装飾体である。
【００９５】
図６１に示したコーヒーカップ型装飾体５５は、ＩＴＡＬＩＡＮの文字が入ったコーヒーカップ形状の受けカップ５５ａの中に腕を組んだ人間５５ｂが入っている状態を表した装飾体である。
【００９６】
図６２から図７０までは、本発明である観賞用置物の第７実施例を示した図である。図６２は本発明である観賞用置物の第７実施例を示した正面図、図６３は本発明である観賞用置物の第７実施例であり、装飾体を取り外した状態の全体図である。
【００９７】
図６２及び図６３に示すように、本例の観賞用置物１ｆは、多数の取付部材３が取り付けられている道路型取付台５６と、取付部材３に磁着させる多数の人型装飾体５７から６３とからなる。前記道路型取付台５６の地面５６ａの多数の箇所に取付部材３及びサボテン型装飾体５６ｂが取り付けられている。
【００９８】
また、地面５６ａの上面には、坂道背景５６ｃが連設している。そして、坂道背景５６ｃの左側には「ＲＯＡＤ　ＨＯＧＳ」と書かれた看板５６ｄが取り付けられている。
【００９９】
図６４から図７０は、本例の観賞用置物１ｆに取り付けられている多数の取付部材に磁着させる人型装飾体の正面図である。人型装飾体５７〜６３は、バイクに乗っている人間を表している。
【０１００】
図６４に示した人型装飾体５７は、サングラス５７ｃをかけ、帽子５７ｄを被っている人間５７ａがバイク５７ｂに乗っている状態を表した装飾体である。人型装飾体５７は、髪が長く後方にたなびいていて、人間５７ａは右手だけでハンドルを握りバイク５７ｂを運転している。口が極めて大きく開いている。
【０１０１】
図６５に示した人型装飾体５８は、インディアンのように多数の羽根飾り５８ｂを被った人間５８ａがバイク５８ｃに乗っている状態を表した装飾体である。人間５８ａは、口を大きく開けており、右手だけでハンドルを握り運転している。左手は後輪のカバーに手を当てている。後輪の左右にはサンドバッグがある。
【０１０２】
図６６に示した人型装飾体５９は、メガネが取り付けられているヘルメット５９ｃを被った人間５９ａがバイク５９ｂにのっている状態を表した装飾体である。
【０１０３】
人間５９ｃは、髪が長く後方にたなびいていて、口を横方向に大きく開け、左手でハンドルを握り運転している。ハンドルは逆Ｖ字型であり、右手はタンク上に置いている。バイク５９ｂの後輪上に背もたれがあるとともに、サンドバッグも取り付けられている。
【０１０４】
図６７に示した人型装飾体６０は、メガネが付いているヘルメット６０ｃを被り、口をくの字状に大きく開けて口髭を生やし後方にたなびかせ、笑っているような表情をしている人間６０ａがバイク６０ｂに乗っている状態を表した装飾体である。人間６０ａは右手のみでハンドルを握り運転し、左手は後輪のカバー上に置いている。人間６０ａの顔の両頬は盛り上がっている。
【０１０５】
図６８に示した人型装飾体６１は、テンガロンハットの帽子６１ｃを被った人間６１ａがバイク６１ｂに乗っている状態を表した装飾体である。人間６１ａは、髪が長く口髭を生やし、髪の毛は長髪で後方にたなびいていて、サングラスをかけている。右手でハンドルを握り運転し、右手は後輪のカバー上に置いている。口はくの字状に大きく開けている。
【０１０６】
図６９に示した人型装飾体６２は、頭にバンダナ６２ｃを巻いた人間６２ａがバイク６２ｂに乗っている状態を表した装飾体である。人間６２ａは、口の周りに髭を生やし、長髪で後方にたなびかせていて小さい目の下に極めて小さいサングラスをかけている。右手でハンドルを握り運転し、右手は後輪のカバー上に置いている。口は略くの字状に大きく開けている。
【０１０７】
図７０に示した人型装飾体６３は、髪の長い人間６３ａがバイク６３ｂに乗っている状態を表した装飾体である。バイク６３ｂの後輪の両側にはサンドバッグも取り付けられている。人間６３ａは、右手でハンドルを握り運転し、右手は後輪のカバー上に置いている。口はくの字状に大きく開けている。目はうつろであり、髪の毛は長髪で後方にたなびいている。
【０１０８】
図７１は、本発明である観賞用置物を構成する取付台の他の実施例を示した図である。本虹型取付台６４は、保持台６４ｃ、左設置台６４ｄ及び右設置台６４ｅとからなる土台部６４ａと、前記土台部に取り付ける虹型取付部６４ｂとからなる。
【０１０９】
保持台６４ｃは直方体の形状に形成されていて、表面全体にタイルが貼り付けてある。そして、保持台６４ｃ上に略立方体形状の左設置台６４ｄ及び右設置台６４ｅが距離を置いて設置されている。
【０１１０】
左設置台６４ｄ及び右設置台６４ｅ上にアーチ状の虹型取付部６４ｂが設置され、虹型取付部６４ｂ内にはＡ、Ｂ、Ｃ等の殴文字型装飾体６４ｆ、６４ｆ、６４ｆ・・・・及び雲型装飾体６４ｇが取り付けられている。虹型取付部６４ｂには多数の取付部材３、３、３、３、３・・・・を取り付ける。
【０１１１】
虹型取付台６４に取り付ける装飾体は、人型装飾体５、葉型装飾体６〜１４、コーヒー豆型装飾体１７〜２６、パイナップル型装飾体２８〜３３、バナナ型装飾体３６〜４５、コーヒーカップ型装飾体４７〜５５及び人型装飾体５７〜６３の任意の装飾体を磁着させることができる。
【０１１２】
図７２は、本発明である観賞用置物を構成する取付部の他の実施例の正面図である。柱型取付台６５は、円筒形の柱部６５ａと、保持台６５ｂと、屋根６５ｃとからなり、屋根６５ｃの先端には、装飾である旗６５ｄが取り付けられている。
【０１１３】
柱部６５ａは、マグネットが付きやすい金属でできているため、取付部材３を必要とせず、好きな場所に装飾体を取り付けることができる。すなわち、前記人型装飾体５、葉型装飾体６から１４、コーヒー豆型装飾体１７から２６、パイナップル型装飾体２８から３３、バナナ型装飾体３６から４５、コーヒーカップ型装飾体４７から５５及び人型装飾体５７から６３の装飾体の中の好きな装飾体を選び、柱６５ａの好きな場所へ取り付けることが出来る。
【０１１４】
【発明の効果】
本発明は、以上に説明したような構成であるから以下の効果が得られる。第１に、部分毎の取り外しが可能であり、また転用できるので、部分毎の買い足しという少ない予算で、数種類の置物を装飾し楽しむことができる。
【図面の簡単な説明】
【図１】本発明である観賞用置物の全体図である。
【図２】本発明である観賞用置物の取付部の全体図である。
【図３】本発明である観賞用置物の取付部材の正面図である。
【図４】本発明である観賞用置物の取付部材の断面図である。
【図５】本発明である観賞用置物の人型装飾体の正面図である。
【図６】本発明である観賞用置物の葉型装飾体の正面図である。
【図７】本発明である観賞用置物の葉型装飾体の正面図である。
【図８】本発明である観賞用置物の葉型装飾体の正面図である。
【図９】本発明である観賞用置物の葉型装飾体の正面図である。
【図１０】本発明である観賞用置物の葉型装飾体の正面図である。
【図１１】本発明である観賞用置物の葉型装飾体の正面図である。
【図１２】本発明である観賞用置物の葉型装飾体の正面図である。
【図１３】本発明である観賞用置物の葉型装飾体の正面図である。
【図１４】本発明である観賞用置物の葉型装飾体の正面図である。
【図１５】本発明である観賞用置物の葉型装飾体の背面図である。
【図１６】本発明である観賞用置物の葉型装飾体を取付部材に取り付けた状態を示す左側面図である。
【図１７】本発明である観賞用置物の取付部を分離した状態を示す正面図である。
【図１８】本発明である観賞用置物の第２実施例を示した正面図である。
【図１９】本発明である観賞用置物の第３実施例を示した正面図である。
【図２０】本発明である観賞用置物の第３実施例の取付部の全体図である。
【図２１】本発明である観賞用置物のコーヒー豆型装飾体の正面図である。
【図２２】本発明である観賞用置物のコーヒー豆型装飾体の正面図である。
【図２３】本発明である観賞用置物のコーヒー豆型装飾体の正面図である。
【図２４】本発明である観賞用置物のコーヒー豆型装飾体の正面図である。
【図２５】本発明である観賞用置物のコーヒー豆型装飾体の正面図である。
【図２６】本発明である観賞用置物のコーヒー豆型装飾体の正面図である。
【図２７】本発明である観賞用置物のコーヒー豆型装飾体の正面図である。
【図２８】本発明である観賞用置物のコーヒー豆型装飾体の正面図である。
【図２９】本発明である観賞用置物のコーヒー豆型装飾体の正面図である。
【図３０】本発明である観賞用置物のコーヒー豆型装飾体の正面図である。
【図３１】本発明である観賞用置物の第４実施例を示した正面図である。
【図３２】本発明である観賞用置物の第４実施例の取付部の全体図である。
【図３３】本発明である観賞用置物のパイナップル型装飾体の正面図である。
【図３４】本発明である観賞用置物のパイナップル型装飾体の正面図である。
【図３５】本発明である観賞用置物のパイナップル型装飾体の正面図である。
【図３６】本発明である観賞用置物のパイナップル型装飾体の正面図である。
【図３７】本発明である観賞用置物のパイナップル型装飾体の正面図である。
【図３８】本発明である観賞用置物のパイナップル型装飾体の正面図である。
【図３９】本発明である観賞用置物の第５実施例を示した正面図である。
【図４０】本発明である観賞用置物の第５実施例の取付部の全体図である。
【図４１】本発明である観賞用置物のバナナ型装飾体の正面図である。
【図４２】本発明である観賞用置物のバナナ型装飾体の正面図である。
【図４３】本発明である観賞用置物のバナナ型装飾体の正面図である。
【図４４】本発明である観賞用置物のバナナ型装飾体の正面図である。
【図４５】本発明である観賞用置物のバナナ型装飾体の正面図である。
【図４６】本発明である観賞用置物のバナナ型装飾体の正面図である。
【図４７】本発明である観賞用置物のバナナ型装飾体の正面図である。
【図４８】本発明である観賞用置物のバナナ型装飾体の正面図である。
【図４９】本発明である観賞用置物のバナナ型装飾体の正面図である。
【図５０】本発明である観賞用置物のバナナ型装飾体の正面図である。
【図５１】本発明である観賞用置物の第６実施例を示した正面図である。
【図５２】本発明である観賞用置物の第６実施例の取付部の全体図である。
【図５３】本発明である観賞用置物のコーヒーカップ型装飾体の正面図である。
【図５４】本発明である観賞用置物のコーヒーカップ型装飾体の正面図である。
【図５５】本発明である観賞用置物のコーヒーカップ型装飾体の正面図である。
【図５６】本発明である観賞用置物のコーヒーカップ型装飾体の正面図である。
【図５７】本発明である観賞用置物のコーヒーカップ型装飾体の正面図である。
【図５８】本発明である観賞用置物のコーヒーカップ型装飾体の正面図である。
【図５９】本発明である観賞用置物のコーヒーカップ型装飾体の正面図である。
【図６０】本発明である観賞用置物のコーヒーカップ型装飾体の正面図である。
【図６１】本発明である観賞用置物のコーヒーカップ型装飾体の正面図である。
【図６２】本発明である観賞用置物の第７実施例を示した正面図である。
【図６３】本発明である観賞用置物の第７実施例の取付部の正面図である。
【図６４】本発明である観賞用置物の人型装飾体の正面図である。
【図６５】本発明である観賞用置物の人型装飾体の正面図である。
【図６６】本発明である観賞用置物の人型装飾体の正面図である。
【図６７】本発明である観賞用置物の人型装飾体の正面図である。
【図６８】本発明である観賞用置物の人型装飾体の正面図である。
【図６９】本発明である観賞用置物の人型装飾体の正面図である。
【図７０】本発明である観賞用置物の人型装飾体の正面図である。
【図７１】本発明である観賞用置物の別の実施例の取付台の正面図である。
【図７２】本発明である観賞用置物の別の実施例の取付台の正面図である。
【符号の説明】
１　　　観賞用置物
１ａ　　観賞用置物
１ｂ　　観賞用置物
１ｃ　　観賞用置物
１ｄ　　観賞用置物
１ｅ　　観賞用置物
１ｆ　　観賞用置物
２　　　木型取付部
２ａ　　山型取付部
３　　　取付部材
３ａ　　外枠
３ｂ　　左支持材
３ｃ　　右支持材
３ｄ　　円盤
３ｅ　　上支持材
３ｆ　　下支持材
４　　　植木鉢型土台部
４ａ　　植木鉢型設置台
４ｂ　　保持台
４ｃ　　土型固定部材
４ｄ　　挿入孔
４ｅ　　草型装飾体
４ｆ　　草型装飾体
４ｇ　　草型装飾体
４ｈ　　草型装飾体
５　　　人型装飾体
５ａ　　人
５ｂ　　オートバイ
５ｃ　　サングラス
５ｄ　　髭
５ｅ　　ヘルメット
５ｆ　　口
５ｇ　　髪
５ｈ　　オーバーオール
５ｉ　　動物
６　　　葉型装飾体
６ａ　　葉
６ｂ　　顔
６ｃ　　目
６ｄ　　歯
６ｅ　　口
６ｆ　　茎
７　　　葉型装飾体
７ａ　　葉
７ｂ　　顔
７ｃ　　目
７ｄ　　歯
７ｅ　　口
７ｆ　　茎
７ｇ　　リボン
８　　　葉型装飾体
８ａ　　装飾体
８ｂ　　装飾体
８ｃ　　葉
８ｄ　　顔
８ｅ　　目
８ｆ　　歯
８ｇ　　口
８ｈ　　葉
８ｉ　　顔
８ｊ　　目
８ｋ　　歯
８ｌ　　口
８ｍ　　茎
９　　　葉型装飾体
９ａ　　葉
９ｂ　　顔
９ｃ　　目
９ｄ　　歯
９ｅ　　口
９ｆ　　茎
９ｇ　　帽子
９ｈ　　マフラー
１０　　　葉型装飾体
１０ａ　　葉
１０ｂ　　顔
１０ｃ　　目
１０ｄ　　歯
１０ｅ　　口
１０ｆ　　コンセント
１０ｇ　　舌
１０ｈ　　背面板
１０ｉ　　マグネット
１１　　　葉型装飾体
１１ａ　　葉
１１ｂ　　顔
１１ｃ　　目
１１ｄ　　歯
１１ｅ　　口
１１ｆ　　茎
１２　　　葉型装飾体
１２ａ　　葉
１２ｂ　　顔
１２ｃ　　目
１２ｄ　　歯
１２ｅ　　口
１２ｆ　　茎
１３　　　葉型装飾体
１３ａ　　葉
１３ｂ　　顔
１３ｃ　　目
１３ｄ　　口
１３ｅ　　歯
１３ｆ　　茎
１３ｇ　　眼鏡
１４　　　葉型装飾体
１４ａ　　葉
１４ｂ　　顔
１４ｃ　　目
１４ｄ　　口
１４ｅ　　煙草
１４ｆ　　茎
１５　　　木型取付部
１６　　　植木鉢型設置台
１６ａ　　鉢
１６ｂ　　保持台
１６ｃ　　固定部
１６ｄ　　挿入孔
１７　　　コーヒー豆型装飾体
１７ａ　　顔
１７ｂ　　目
１７ｃ　　口
１７ｄ　　歯
１７ｅ　　花飾り
１８　　　コーヒー豆型装飾体
１８ａ　　顔
１８ｂ　　目
１８ｃ　　口
１８ｄ　　耳飾り
１８ｅ　　籠
１９　　　コーヒー豆型装飾体
１９ａ　　顔
１９ｂ　　目
１９ｃ　　口
１９ｄ　　歯
１９ｅ　　髭
１９ｆ　　帽子
１９ｇ　　髪
２０　　　コーヒー豆型装飾体
２０ａ　　顔
２０ｂ　　目
２０ｃ　　口
２０ｄ　　帽子
２０ｅ　　眼鏡
２１　　　コーヒー豆型装飾体
２１ａ　　顔
２１ｂ　　目
２１ｃ　　口
２１ｄ　　羽根飾り
２２　　　コーヒー豆型装飾体
２２ａ　　顔
２２ｂ　　目
２２ｃ　　口
２２ｄ　　王冠
２３　　　コーヒー豆型装飾体
２３ａ　　顔
２３ｂ　　目
２３ｃ　　口
２３ｄ　　帽子
２３ｅ　　馬
２４　　　コーヒー豆型装飾体
２４ａ　　顔
２４ｂ　　目
２４ｃ　　口
２４ｄ　　帽子
２４ｅ　　髪飾り
２５　　　コーヒー豆型装飾体
２５ａ　　顔
２５ｂ　　目
２５ｃ　　口
２５ｄ　　帽子
２６　　　コーヒー豆型装飾体
２６ａ　　顔
２６ｂ　　目
２６ｃ　　口
２６ｄ　　歯
２６ｅ　　髪
２７　　　パイナップル型土台部
２７ａ　　パイナップル型設置台
２７ｂ　　保持台
２７ｃ　　葉型取付部
２７ｄ　　花飾り
２８　　　パイナップル型装飾体
２８ａ　　顔
２８ｂ　　手
２８ｃ　　足
２８ｄ　　花飾り
２８ｅ　　スカート
２９　　　パイナップル型装飾体
２９ａ　　顔
２９ｂ　　手
２９ｃ　　足
２９ｄ　　サングラス
３０　　　パイナップル型装飾体
３０ａ　　顔
３０ｂ　　手
３０ｃ　　足
３１　　　パイナップル型装飾体
３１ａ　　顔
３１ｂ　　手
３１ｃ　　足
３１ｄ　　半ズボン
３２　　　パイナップル型装飾体
３２ａ　　顔
３２ｂ　　手
３２ｃ　　足
３３　　　パイナップル型装飾体
３３ａ　　顔
３３ｂ　　手
３３ｃ　　足
３３ｄ　　サーフボード
３４　　　木型取付部
３５　　　植木鉢型土台部
３５ａ　　植木鉢型設置台
３５ｂ　　保持台
３５ｃ　　挿入孔
３６　　　バナナ型装飾体
３６ａ　　顔
３６ｂ　　手
３６ｃ　　目
３６ｄ　　口
３６ｅ　　皮
３７　　　バナナ型装飾体
３７ａ　　顔
３７ｂ　　手
３７ｃ　　口
３７ｄ　　サングラス
３７ｅ　　皮
３８　　　バナナ型装飾体
３８ａ　　顔
３８ｂ　　口
３８ｃ　　サングラス
３８ｄ　　鼻
３９　　　バナナ型装飾体
３９ａ　　顔
３９ｂ　　目
３９ｃ　　口
４０　　　バナナ型装飾体
４０ａ　　顔
４０ｂ　　手
４０ｃ　　目
４０ｄ　　足
４０ｅ　　眼鏡
４０ｆ　　マント
４１　　　バナナ型装飾体
４１ａ　　顔
４１ｂ　　手
４１ｃ　　目
４１ｄ　　口
４１ｅ　　水着
４２　　　バナナ型装飾体
４２ａ　　バナナ
４２ｂ　　チャック（ジッパー）
４３　　　バナナ型装飾体
４３ａ　　顔
４３ｂ　　手
４３ｃ　　目
４３ｄ　　皮
４４　　　バナナ型装飾体
４４ａ　　顔
４４ｂ　　手
４４ｃ　　目
４４ｄ　　皮
４５　　　バナナ型装飾体
４５ａ　　顔
４５ｂ　　手
４５ｃ　　目
４５ｄ　　口
４５ｅ　　ヘルメット
４５ｆ　　皮
４６　　　コーヒーカップ型土台部
４６ａ　　コーヒーカップ型設置台
４６ｂ　　保持台
４６ｃ　　湯気型取付部
４７　　　コーヒーカップ型装飾体
４７ａ　　受けカップ
４７ｂ　　カンガルー
４８　　　コーヒーカップ型装飾体
４８ａ　　受けカップ
４８ｂ　　異星人
４９　　　コーヒーカップ型装飾体
４９ａ　　受けカップ
４９ｂ　　女性
５０　　　コーヒーカップ型装飾体
５０ａ　　受けカップ
５０ｂ　　人間
５０ｃ　　馬
５１　　　コーヒーカップ型装飾体
５１ａ　　受けカップ
５１ｂ　　人間
５２　　　コーヒーカップ型装飾体
５２ａ　　受けカップ
５２ｂ　　人間
５３　　　コーヒーカップ型装飾体
５３ａ　　受けカップ
５３ｂ　　腕
５４　　　コーヒーカップ型装飾体
５４ａ　　受けカップ
５４ｂ　　人間
５５　　　コーヒーカップ型装飾体
５５ａ　　受けカップ
５５ｂ　　人間
５６　　　道路型取付台
５６ａ　　地面
５６ｂ　　サボテン型装飾体
５６ｃ　　坂道背景
５６ｄ　　看板
５７　　　人型装飾体
５７ａ　　人間
５７ｂ　　バイク
５７ｃ　　サングラス
５７ｄ　　帽子
５８　　　人型装飾体
５８ａ　　人間
５８ｂ　　羽根飾り
５８ｃ　　バイク
５９　　　人型装飾体
５９ａ　　人間
５９ｂ　　バイク
５９ｃ　　ヘルメット
６０　　　人型装飾体
６０ａ　　人間
６０ｂ　　バイク
６０ｃ　　ヘルメット
６１　　　人型装飾体
６１ａ　　人間
６１ｂ　　バイク
６１ｃ　　帽子
６２　　　人型装飾体
６２ａ　　人間
６２ｂ　　バイク
６２ｃ　　バンダナ
６２ｄ　　髭
６３　　　人型装飾体
６３ａ　　人間
６３ｂ　　バイク
６４　　　虹型取付台
６４ａ　　土台部
６４ｂ　　虹型取付部
６４ｃ　　保持台
６４ｄ　　左設置台
６４ｅ　　右設置台
６４ｆ　　　　殴文字型装飾体
６４ｇ　　雲型装飾体
６５　　　柱型取付台
６５ａ　　柱部
６５ｂ　　保持台
６５ｃ　　屋根
６５ｄ　　旗
【図１】
2004130756.tif 000003
【図２】
2004130756.tif 000004
【図３】
2004130756.tif 000005
【図４】
2004130756.tif 000006
【図５】
2004130756.tif 000007
【図６】
2004130756.tif 000008
【図７】
2004130756.tif 000009
【図８】
2004130756.tif 000010
【図９】
2004130756.tif 000011
【図１０】
2004130756.tif 000012
【図１１】
2004130756.tif 000013
【図１２】
2004130756.tif 000014
【図１３】
2004130756.tif 000015
【図１４】
2004130756.tif 000016
【図１５】
2004130756.tif 000017
【図１６】
2004130756.tif 000018
【図１７】
2004130756.tif 000019
【図１８】
2004130756.tif 000020
【図１９】
2004130756.tif 000021
【図２０】
2004130756.tif 000022
【図２１】
2004130756.tif 000023
【図２２】
2004130756.tif 000024
【図２３】
2004130756.tif 000025
【図２４】
2004130756.tif 000026
【図２５】
2004130756.tif 000027
【図２６】
2004130756.tif 000028
【図２７】
2004130756.tif 000029
【図２８】
2004130756.tif 000030
【図２９】
2004130756.tif 000031
【図３０】
2004130756.tif 000032
【図３１】
2004130756.tif 000033
【図３２】
2004130756.tif 000034
【図３３】
2004130756.tif 000035
【図３４】
2004130756.tif 000036
【図３５】
2004130756.tif 000037
【図３６】
2004130756.tif 000038
【図３７】
2004130756.tif 000039
【図３８】
2004130756.tif 000040
【図３９】
2004130756.tif 000041
【図４０】
2004130756.tif 000042
【図４１】
2004130756.tif 000043
【図４２】
2004130756.tif 000044
【図４３】
2004130756.tif 000045
【図４４】
2004130756.tif 000046
【図４５】
2004130756.tif 000047
【図４６】
2004130756.tif 000048
【図４７】
2004130756.tif 000049
【図４８】
2004130756.tif 000050
【図４９】
2004130756.tif 000051
【図５０】
2004130756.tif 000052
【図５１】
2004130756.tif 000053
【図５２】
2004130756.tif 000054
【図５３】
2004130756.tif 000055
【図５４】
2004130756.tif 000056
【図５５】
2004130756.tif 000057
【図５６】
2004130756.tif 000058
【図５７】
2004130756.tif 000059
【図５８】
2004130756.tif 000060
【図５９】
2004130756.tif 000061
【図６０】
2004130756.tif 000062
【図６１】
2004130756.tif 000063
【図６２】
2004130756.tif 000064
【図６３】
2004130756.tif 000065
【図６４】
2004130756.tif 000066
【図６５】
2004130756.tif 000067
【図６６】
2004130756.tif 000068
【図６７】
2004130756.tif 000069
【図６８】
2004130756.tif 000070
【図６９】
2004130756.tif 000071
【図７０】
2004130756.tif 000072
【図７１】
2004130756.tif 000073
【図７２】
2004130756.tif 000074